(57)【特許請求の範囲】
【請求項１】
一側に延長された第１電極タップを含む少なくとも一つの第１電極板と、
他側に延長された第２電極タップを含む少なくとも一つの第２電極板と、
一側に延長された第１中間電極タップが備えられた少なくとも一つの第１中間電極板と、
他側に延長された第２中間電極タップが備えられた少なくとも一つの第２中間電極板と、
前記第１電極板及び第２電極板との間に位置したセパレーターと、前記第１中間電極板及び第２中間電極板との間に位置したセパレーターとを含むが、
前記第１電極板と第２電極板はそれぞれ前記第１中間電極板と第２中間電極板に対して最外郭層に配置され、
前記第１電極タップが前記第１中間電極タップを縛り、
前記第２電極タップが前記第２中間電極タップを縛り、
前記第１電極タップと第１中間電極タップのみで第１電極リードを形成して前記第２電極タップと第２中間電極タップのみで第２電極リードを形成し、
前記少なくとも一つの第１電極タップと第２電極タップは、前記少なくとも一つの第１中間電極タップと第２中間電極タップの長さの１５０％ないし２００％で形成され、
前記第１電極タップと少なくとも一つの第１中間電極タップは、溶接によって相互連結され、前記第２電極タップと少なくとも一つの第２中間電極タップは溶接によって相互連結され、
前記第１及び第２電極タップは、保護回路モジュール（ＰＣＭ）と直接連結することを特徴とする電極組立体。
【請求項２】
前記第１電極タップと第２電極タップは、それぞれ前記第１中間電極タップと第２中間電極タップをカバーすることができるサイズで形成されることを特徴とする請求項１に記載の電極組立体。
【請求項３】
前記第１電極板と第１電極タップは、それぞれ前記第１中間電極板と第１中間電極タップより厚く形成され、
前記第２電極板と第２電極タップはそれぞれ前記第２中間電極板と第２中間電極タップより厚く形成されることを特徴とする請求項１に記載の電極組立体。
【請求項４】
一側に延長された一対の対向する第１電極タップを含む一対の第１電極板と、
他側に延長された一対の対向する第２電極タップを含む一対の第２電極板と、
一側に延長された第１中間電極タップが備えられた少なくとも一つの第１中間電極板と、
他側に延長された第２中間電極タップが備えられた少なくとも一つの第２中間電極板と、
前記第１中間電極板の両側面に配置された第１及び第２セパレーターと、
前記第２中間電極板の最外郭側に配置された第３及び第４セパレーターとを含み、
前記少なくとも一つの第１中間電極板は、電極組立体の中央部に配置され、
前記少なくとも一つの第２中間電極板は、前記第１及び第２セパレーターの最外郭側に配置され、
前記一対の第１電極板と第２電極板はそれぞれ前記第１中間電極板と第２中間電極板に対して最外郭層に配置され、
前記一対の対向する第１電極タップが前記第１中間電極タップを縛り、
前記一対の対向する第２電極タップが前記第２中間電極タップを縛り、
前記一対の対向する第１電極タップと前記少なくとも一つの第１中間電極タップのみで第１電極リードを形成して前記一対の対向する第２電極タップと前記少なくとも一つの第２中間電極タップのみで第２電極リードを形成し、
前記少なくとも一つの第１電極タップと第２電極タップは、前記少なくとも一つの第１中間電極タップと第２中間電極タップの長さの１５０％ないし２００％で形成され、
前記一対の対向する第１電極タップと少なくとも一つの第１中間電極タップは、溶接によって相互連結され、前記一対の対向する第２電極タップと少なくとも一つの第２中間電極タップは溶接によって相互連結され、
前記第１及び第２電極タップは、保護回路モジュール（ＰＣＭ）と直接連結することを特徴とする電極組立体。
【請求項５】
前記一対の対向する第１電極タップは、前記少なくとも一つの第１中間電極タップをカバーするサイズで前記第１中間電極タップと連結され、
前記一対の対向する第２電極タップは前記少なくとも一つの第２中間電極タップをカバーするサイズで前記第２中間電極タップに連結されることを特徴とする請求項４に記載の電極組立体。
【請求項６】
前記少なくとも一つの第１電極板と第１電極タップ及び前記少なくとも一つの第２電極板と第２電極タップのそれぞれは５０μｍないし１００μｍの厚さで形成されることを特徴とする請求項１に記載の電極組立体。
【請求項７】
前記第１電極タップと第２電極タップは、５ｍｍないし４０ｍｍの幅で形成されることを特徴とする請求項１に記載の電極組立体。
【請求項８】
前記第１電極タップと第２電極タップは絶縁テープが付着されていることを特徴とする請求項１に記載の電極組立体。
【請求項９】
前記第１電極板は陽極であり、前記第１電極板が前記第２電極板より最外郭に位置することを特徴とする請求項１に記載の電極組立体。
【請求項１０】
前記第１電極板は陽極板であり、かつ第２電極板は陰極板であることを特徴とする請求項１に記載の電極組立体。
【請求項１１】
前記電極組立体は、パウチケースに挿入可能であることを特徴とする請求項１に記載の電極組立体。
【請求項１２】
前記パウチケースは、密封のために内表面に沿って接着性樹脂が付着されることを特徴とする請求項１１に記載の電極組立体。
【請求項１３】
前記第１電極タップと第２電極タップの一部は、前記パウチケースの外部へ露出して前記第１及び第２電極リードを形成し、これは前記保護回路モジュールに連結されることを特徴とする請求項１１に記載の電極組立体。
【請求項１４】
請求項１ないし１３のうちいずれか一つの電極組立体を含むことを特徴とする二次電池。
【発明の詳細な説明】
【技術分野】
【０００１】
本発明は、電極組立体及びこれを利用した二次電池に関し、より詳細には、電極板の中で最外郭器材の電極タップの形態を変更し、工程の単純化及びコストを低減することができる電極組立体及びこれを利用した二次電池に関する。
【背景技術】
【０００２】
近年、携帯電子機器の小型化及び軽量化が急速に進むにつれて、その駆動電源として使用される二次電池に対し、多くの研究が行われている。特に、ビデオカメラ、携帯電話、ノート型パソコン、携帯用個人情報端末機（ＰＤＡ）など携帯無線器機製品の軽量化及び高機能化が進行されるにつれて、これらの製品の駆動電源として使用される二次電池の重要性が増加している。
【０００３】
このような二次電池は、充電と放電を繰り返して使うことができるので、使い捨て電池に比べて経済的である。また、小型及び大容量化が可能なことで、作動電圧が高くて単位重量当たりエネルギー密度が高いという長所のため、先端電子機器分野において広く使われている。特に、リチウム二次電池は作動電圧が３．７Ｖで、携帯電子装備電源として多く使用されているニッケル−カドミウム電池や、ニッケル−水素電池より３倍も高くて、単位重量当たりエネルギー密度が高いという側面から急速に需要が伸びている。
【０００４】
代表的に、二次電池は形状の面では薄い厚さで携帯電話などのような製品等に適用されうる缶型電池とパウチ型電池に対する需要が高く、材料の面ではエネルギー密度、放電電圧、安全性の優れたリチウムポリマー電池のような二次電池に対する需要が高い。このような缶型またはパウチ型電池は、カンまたはパウチ内部に電極組立体と、電極組立体から延長される電極タップと、電極タップに溶接されている電極リードが収容される。すなわち、電極組立体は陽極板と陰極板との間に介在され、これらを相互絶縁させるセパレーターが順次に積層または巻き取られた構造である。
【０００５】
そして、電極リードは、電極組立体の陽極板と陰極板から電極タップが延長されてそれぞれ融着された状態で陽極及び陰極電極リードとそれぞれ電気的に連結されており、カンまたはパウチの外部に一部が露出している形態を帯びる。このように露出した電極リードは以後の工程において保護回路モジュールと電気的に連結される。しかし、このように電極組立体の陽極板及び陰極板からそれぞれ延長された電極タップを融着させた後、それぞれを電極リードと連結するようになれば、工程が複雑になるだけでなく、電極タップと電極リードが以後工程を進行するうちに外れてしまうという問題がある。
【発明の概要】
【発明が解決しようとする課題】
【０００６】
したがって、本発明は上記問題を解決するために案出されたもので、その目的は、電極板の中で最外郭器材の厚さ及び電極タップのサイズを増加させて内部器材の電極タップを縛ると同時に、電極リードとして利用できるようにし、別途の電極リードを付着する工程を略することができる電極組立体及びこれを利用した二次電池を提供することにある。
【課題を解決するための手段】
【０００７】
上記目的を達成するために本発明の一実施例による電極組立体は、一側に延長された第１電極タップを含む少なくとも一つの第１電極板と、他側に延長された第２電極タップを含む少なくとも一つの第２電極板と、一側に延長された第１中間電極タップが備えられた少なくとも一つの第１中間電極板と、他側に延長された第２中間電極タップが備えられた少なくとも一つの第２中間電極板と、前記第１電極板及び第２電極板との間に位置したセパレーターと前記第１中間電極板及び第２中間電極板との間に位置したセパレーターとを含むが、前記第１電極板と第２電極板はそれぞれ前記第１中間電極板と第２中間電極板に対して最外郭層に配置され、前記第１電極タップと第１中間電極タップは第１電極リードを形成して前記第２電極タップと第２中間電極タップは第２電極リードを形成する電極組立体を提供することを特徴とする。
【０００８】
また、前記第１電極タップと第２電極タップは、それぞれ前記第１中間電極タップと第２中間電極タップをカバーすることができるサイズで形成される。
【０００９】
また、前記第１及び第２電極リードは保護回路モジュールＰＣＭと直接連結される。
【００１０】
また、前記第１電極板と第１電極タップはそれぞれ前記第１中間電極板と第１中間電極タップより厚く形成され、前記第２電極板と第２電極タップはそれぞれ前記第２中間電極板と第２中間電極タップより厚く形成される。
【００１１】
また、一側に延長された一対の第１電極タップを含む一対の第１電極板が備えられた少なくとも一つの第１電極板と、他側に延長された一対の第２電極タップを含む一対の第２電極板が備えられた少なくとも一つの第２電極板と、前記一対の第１電極板と第２電極板はそれぞれ前記第１中間電極板と第２中間電極板に対して最外郭層に配置され、前記一対の第１電極タップと少なくとも一つの第１中間電極タップは第１電極リードを形成して前記一対の第２電極タップと少なくとも一つの第２中間電極タップは第２電極リードを形成する電極組立体を提供することを特徴とする。
【００１２】
さらに、前記一対の第１電極タップは、前記少なくとも一つの第１中間電極タップをカバーするサイズで前記第１中間電極タップと連結され、前記一対の第２電極タップは前記少なくとも一つの第２中間電極タップをカバーするサイズで前記第２中間電極タップに連結される電極組立体を提供することを特徴とする。
【００１３】
また、前記少なくとも一つの第１電極タップと第２電極タップは、前記少なくとも一つの第１中間電極タップと第２中間電極タップの長さの１５０％ないし２００％で形成される。
【００１４】
また、前記少なくとも一つの第１電極板と第１電極タップ及び前記少なくとも一つの第２電極板と第２電極タップのそれぞれは５０μｍないし１００μｍ厚さで形成され、前記第１電極タップと第２電極タップは５ないし４０ｍｍの幅で形成される。
【００１５】
また、前記第１電極タップと第２電極タップは絶縁テープが付着される。
【００１６】
また、前記一対の第１電極タップと少なくとも一つの第１中間電極タップは、溶接によって相互連結され、前記一対の第２電極タップと少なくとも一つの第２中間電極タップは溶接によって相互連結される。
【００１７】
また、前記第１電極板は陽極であり、前記第１電極板が前記第２電極板より最外郭に位置する。
【００１８】
また、前記第１電極板は陽極板であり、かつ第２電極板は陰極板である。
【００１９】
また、前記電極組立体はパウチケースに挿入可能である。
【００２０】
また、前記パウチケースは、密封のために内表面に沿って接着性樹脂が付着される。
【００２１】
また、前記第１電極タップと第２電極タップの一部は、パウチケースの外部へ露出して第１及び第２電極リードを形成し、これは前記保護回路モジュールに連結される。
【００２２】
また、前記少なくとも一つの第１中間電極板は電極組立体の中央部に位置し、前記第１及び第２セパレーターは前記第１中間電極板の両側面に配置され、前記少なくとも一つの第２中間電極板は前記第１及び第２セパレーターの最外郭側に配置され、第３及び第４セパレーターが前記第２中間電極板の最外郭側に配置される。
【００２３】
また、前記第１及び第２電極タップは保護回路モジュールに直接連結される。
【発明の効果】
【００２４】
以上説明したように、本発明によれば、電極板の中で最外郭器材の厚さ及び電極タップのサイズを増加させて内部器材の電極タップを縛ると同時に電極リードとして利用するようにし、別途の電極リードを付着する工程を略することで、工程がより簡単になることによって生産性が向上するだけでなく別途の電極リード器材に対するこすとを低減することができるという効果を奏する。
【図面の簡単な説明】
【００２５】
【図１】本発明の実施例によるパウチケース内部の電極組立体が分解された状態を示す斜視図である。
【図２】本発明の実施例による二次電池の斜視図である。
【図３】図２のＡ−Ａ’による断面図である。
【図４】図２のＢ−Ｂ’による断面図である。
【発明を実施するための最良の形態】
【００２６】
図１は、本発明によるパウチケース内部の電極組立体が分解された状態を示す斜視図である。図１を参照すれば、電極組立体１０は活物質が塗布された陽極板５４及び陰極板４４と、その間に介在されるセパレーター６０が積層された状態で形成される。陽極板５４には一側から延長される陽極タップ５５が形成され、陰極板４４には陽極タップ５５と同じ方向であるが他側から延長される陰極タップ４５が形成される。
【００２７】
このような陽極板５４と陰極板４４は最外郭に位置された一対の最外郭陽極板５１と一対の最外郭陰極板４１、そして、その間に位置された複数の中間陽極板５３及び複数の中間陰極板４３を含む。本発明において、前記陽極板と陰極板はそれぞれ第１電極板と第２電極板に呼称されることもある。また、中間陽極板と中間陰極板はそれぞれ第１中間電極板と第２中間電極板に呼称されることもある。
【００２８】
本発明の実施例において、最外郭陽極板５１は積層された陽極板５４のうち最外郭に位置された陽極板５１を意味し、最外郭陰極板４１は積層された陰極板４４のうち最外郭に位置された陰極板４１を意味する。この際、一対の最外郭陽極板５１または一対の最外郭陰極板４１のうちいずれか一つが実質的に電極組立体１０の最外郭になりえるが、本発明の実施例では一対の最外郭陽極板５１が電極組立体１０の最外郭に形成された形態について説明する。
【００２９】
最外郭陽極板５１は、中間陽極板５３より一層厚く形成され、最外郭陽極タップ５０は中間陽極タップ５２より大きく形成されうる。これによって、最外郭陽極タップ５０は中間陽極板５３の中間陽極タップ５２を縛ることができると同時に、コアパック（Ｃｏｒｅ  Ｐａｃｋ）形成の際、保護回路モジュール（図示せず）と電気的に連結される電極リードを別に付着する必要なしに最外郭陽極タップ５０自体が電極リードの役目をすることができる。
【００３０】
本発明において、前記陽極タップと陰極タップはそれぞれ第１電極タップと第２電極タップに混用して表示される。また、中間陽極タップと中間陰極タップはそれぞれ第１中間電極タップと第２中間電極タップに混用して表示される。
【００３１】
一般に、中間陽極板５３の厚さは１２μｍないし３０μｍであって、本発明の実施例において中間陽極板５３を覆う最外郭陽極板５１の厚さは５０μｍないし１００μｍで形成されうる。すなわち、最外郭陽極板５１に付着された最外郭陽極タップ５０に付着された最外郭陽極タップ５０が５０μｍ未満で形成されれば、中間陽極タップ５２の厚さと同一または一層薄くなり、最外郭器材の強度が弱いという問題がある。そして、最外郭陽極タップ５０が１００μｍを超過して形成されれば、最外郭器材の厚さが過度に厚くなり、相互付着が容易でないだけでなく、二次電池の厚さが厚くなるという問題がある。そして、最外郭陰極タップ４０も同様に最外郭陽極タップ５０と同じく中間陰極タップ４２より一層厚く形成される。一般に、中間陰極板４３の厚さは８μｍないし２０μｍであって、中間陰極板４３を覆う最外郭陰極板４１の厚さは５０μｍないし１００μｍで形成されうる。ここで、最外郭陰極タップ４０及び中間陰極タップ４２は一側に延長された最外郭陽極タップ５０及び中間陽極タップ５２と重ならないように最外郭陽極タップ５０及び中間陽極タップ５２と同じ方向であるが、他側に延長されて形成されることも可能である。
【００３２】
このような陽極板５４と陰極板４４は、二次電池の種類によってやや差があるが、通常的に金属器材に活物質を塗布及び充電してこれを乾燥、ロールプレス及び切断して形成する。また、陽極板５４及び陰極板４４はそれぞれアルミニウム金属箔と銅金属箔にスラリーをコーティング乾燥して製作する。この際、スラリーは陽極板５４及び陰極板４４それぞれの活物質と、活物質を金属箔に粘着させる固定材を含む。リチウム二次電池の場合、陽極活物質としては主にリチウム含有酸化物が利用され、陰極活物質としてはハードカーボン、ソフトカーボン、黒鉛及び炭素物質のうちいずれか一つを主に利用することができるが、本発明はリチウム二次電池に限定されるものではない。
【００３３】
セパレーター６０は、陽極板５４及び陰極板４４の間に介在され、高いイオン透過度と機械的強度を持つ絶縁性の薄い薄膜が使用される。セパレーター６０の気孔直径は一般的に０．０１〜１０μｍで、厚さは一般的に５〜３００μｍである。このようなセパレーター６０としては、例えば、耐化学性及び疏水性のポリプロピレンなどのオレフィン係ポリマー、ガラス繊維またはポリエチレンなどで作られたシートや不織布などが使用されうる。この際、電解質としてポリマーなどの固体電解質が使われる場合には、固体電解質がセパレーター６０を兼ねることもできる。そして、パウチケース２０は電極組立体１０を収容することができる収納空間を備え、通常的にアルミニウム薄膜の上面と下面に積層構造を持つように形成され、パウチケース２０の内面は熱接着性樹脂からなる。
【００３４】
図２は、本発明の実施例による二次電池の斜視図である。図２を参照すれば、電極組立体１０をパウチケース２０の収納空間に収納する際、一対の最外郭陽極タップ５０及び一対の最外郭陰極タップ４０はパウチケース２０外部に一部が露出される。この際、パウチケース２０と触れ合う最外郭電極タップ（４０、５０）にはパウチケース２０との密封度を高めると同時に電気的絶縁状態を確保するための絶縁テープ７０が付着されている。
【００３５】
前述したように、パウチケース２０は通常的にアルミニウム薄膜の上面と下面にナイロン、ポリプロピレンやポリエチレンなどの合成樹脂で覆われた積層構造を持つように形成され、密封のためにパウチケース２０の内面は熱接着性樹脂からなる。したがって、パウチケース２０は内面にコーティングされた熱接着性樹脂が加熱、加圧によって相互融着されて密封されうる。
【００３６】
一対の最外郭陽極タップ５０及び一対の最外郭陰極タップ４０それぞれは、その内部に位置される中間陽極タップ５２及び中間陰極タップ４２を縛ると同時に、パウチケース２０外部へ一部が露出されて電極リードの役目をしなければならないので、中間陽極タップ５２及び中間陰極タップ４２を充分に覆うことができるほど大きく形成されなければならない。望ましくは、最外郭陽極タップ５０及び最外郭陰極タップ４０の幅は５ｍｍないし４０ｍｍで形成されなければならない。一般的な中間陽極タップ５２及び中間陰極タップ４２の幅が４ｍｍないし７ｍｍで形成されるので、これらを充分に覆うように最外郭陽極タップ５０及び最外郭陰極タップ４０の幅は５ｍｍないし４０ｍｍで形成されることが望ましい。また、最外郭陽極タップ５０及び最外郭陰極タップ４０の長さはそれぞれ中間陽極タップ５２及び中間陰極タップ４２対比１５０％ないし２００％で形成されなければならない。
【００３７】
最外郭陽極タップ５０及び最外郭陰極タップ４０がそれぞれ中間陽極タップ５２及び中間陰極タップ４２対比１５０％未満で形成されれば、あまりに短くて中間陽極タップ５２及び中間陰極タップ４２を充分に覆うことができないという問題がある。そして、最外郭陽極タップ５０及び最外郭陰極タップ４０がそれぞれ中間陽極タップ５２及び中間陰極タップ４２対比２００％を超過すれば、パウチケース内部または外部に位置される不要な最外郭陽極タップ５０及び最外郭陰極タップ４０が長くなり、空間を占めるという問題がある。
【００３８】
この際、一対の最外郭陽極タップ５０及び一対の最外郭陰極タップ４０それぞれは、レーザー溶接によって付着することができる。これによって最外郭陽極タップ５０及び最外郭陰極タップ４０それぞれが付着された間に中間陽極タップ５２及び中間陰極タップ４２を覆い、パウチケース２０外部へ一部が露出するので、最外郭陽極タップ５０及び最外郭陰極タップ４０が電極リードの役目をすることができる。このような最外郭陽極タップ５０及び最外郭陰極タップ４０は保護回路モジュール８０に直接連結される。
【００３９】
図３は図２のＡ−Ａ’による断面図である。図３を参照すれば、パウチケース２０内部の電極組立体１０は、陽極板５４、セパレーター６０、陰極板４４が順次積層され、陰極板４４は陽極板５４よりやや大きく、セパレーター６０は陰極板４４よりやや大きい状態で陽極板５４及び陰極板４４の間に介在されている。すなわち、陽極板５４、陰極板４４、セパレーター６０順序のサイズで形成される。一般に、積層型電極組立体１０のセパレーター６０は、陽極板５４と陰極板４４との接触による短絡を防止するために陽極板５４及び陰極板４４より大きく製作される。また、陽極板５４は充電の際、陰極板４４で間歇的に発生するリチウムイオン析出現象を考慮して陰極板４４よりやや小さく製作される。
【００４０】
電極組立体１０の積層された形態をより詳しく見れば、中央に陽極板５６が位置し、電極組立体１０の両側最外郭にも陽極板５１が位置され、中央の陽極板５６を基準として上下対称される形態で形成される。すなわち、中央の陽極板５６両側にセパレーター６０が積層され、セパレーター６０の両側に中間陰極板４３が積層され、その両側に中間陽極板５３が位置される形態が反復的に積層される構造である。そして、中央に位置された陽極板５６と、その両側に積層された内部の中間陽極板５３及び中間陰極板４３の両側面には活物質（図示せず）が塗布されており、最外郭陽極板５１には内側のみに活物質が塗布されている。
【００４１】
このように積層されている電極組立体１０のうち、一対の最外郭陽極板５１は中間陽極板５３よりさらに厚く形成され、最外郭陽極タップ５０の幅はさらに広く、長さはさらに長く形成されている。これによって中間陽極タップ５２を覆いつつ縛ると同時に電極リードの役目をすることができる。この際、密封されたパウチケース２０外部へ最外郭陽極タップ５０が露出され、パウチケース２０と触れ合う領域には絶縁テープ７０が付着されている。すなわち、パウチケース２０が密封される際、パウチケース２０と最外郭陽極タップ５０を絶縁させる絶縁テープ７０とを含む。このような絶縁テープ７０はパウチケース２０の内面に形成された熱接着性樹脂が融着される時最外郭電極タップ４０、５０とアルミニウム薄膜の短絡を防止するようになる。一方、絶縁テープ７０はパウチケース２０の密封を阻害してはならず、湿気侵入や電解質流出のための経路として作用してはならない。
【００４２】
図４は図２のＢ−Ｂ’による断面図である。図４を参照すれば、図３と同じ構造で中間陰極タップ４２が一対の最外郭陰極タップ４０によって覆われる。ここで、最外郭陰極板４１はセパレーター６０を間に置いて最外郭陽極板５１の内部に位置され、中間陰極タップ４２及び最外郭陰極タップ４０は中間陽極タップ５２及び最外郭陽極タップ５０が位置した領域と重ならない位置に形成される。
【００４３】
一対の最外郭陰極タップ４０は、パウチケース２０と触れ合う領域に絶縁テープ７０が付着されつつ、その内部の中間陰極タップ４２を覆う構造で形成される。これにより、電極組立体１０を製造する工程がより簡単になるにつれて生産性が向上するだけでなく、別途の電極リード器材に対するコストを低減することができる。
【００４４】
また、前述の実施例では真中に陽極板が位置され、電極組立体の両側最外郭に陽極板が位置されたが、真中に陰極板が位置され、電極組立体の両側最外郭に陰極板が位置されても良いのは勿論である。
【００４５】
さらに、上記実施例ではパウチ型二次電池について説明したが、これに限定されるのではない。また、長いシート型の陽極板と陰極板をセパレーターが介在された状態で巻き取った構造のゼリー・ロール型及び円筒状、ジグザグ型電極組立体にも本発明を適用することができるということは勿論である。
【００４６】
以上のように、本発明の最も好ましい実施形態について説明したが、本発明は、上記記載に限定されるものではなく、特許請求の範囲、又は明細書に開示された発明の要旨に基づき、当業者が様々な変形や変更が可能であり、斯かる変形や変更が、本発明の範囲に含まれることは言うまでもない。
【符号の説明】
【００４７】
１０  電極組立体、
２０  パウチケース、
４０  最外郭陰極タップ、
４１  最外郭陰極板、
４２  中間陰極タップ、
４３  中間陰極板、
４４  陰極板、
４５  陰極タップ、
５０  最外郭陽極タップ、
５１  最外郭陽極板、
５２  中間陽極タップ、
５３  中間陽極板、
５４  陽極板、
５５  陽極タップ、
６０  セパレート、
７０  絶縁テープ
【図１】
0005508313.tif 000002
【図２】
0005508313.tif 000003
【図３】
0005508313.tif 000004
【図４】
0005508313.tif 000005